(57)【要約】【課題】ハードディスクカートリッジにおいて、ケース本体を大型化することなく、クッション材の外部衝撃力の吸収緩和作用が良好に発揮され、したがって、ディスクドライブ装置の破損を抑えてハードディスクカートリッジの信頼性の向上を図りながら、その小型化を図ることができるようにする。【解決手段】本発明に係るハードディスクカートリッジでは、扁平角箱状のケース本体１のコーナー部に、衝撃を吸収するためのエラストマー製のクッション材５が、ケース本体１から露出した状態で配置されている。このクッション材５によって、ディスクドライブ本体４が前記ケース本体１内で遊動不能に固定保持されている。【選択図】図１
2008310914.tif 000002
【特許請求の範囲】
【請求項１】
扁平角箱状のケース本体の内部に、扁平角型のディスクドライブ本体が収容されているハードディスクカートリッジにおいて、
前記ケース本体のコーナー部に、衝撃を吸収するためのエラストマー製のクッション材が、該ケース本体から露出した状態で配置されており、
前記クッション材によって、前記ディスクドライブ本体が前記ケース本体内で遊動不能に固定保持されていることを特徴とするハードディスクカートリッジ。
【請求項２】
前記ケース本体の四つのコーナー部に配されたクッション材が、該ケース本体の上下壁および前後左右の側壁から、上下方向、前後および左右方向に、少なくとも０．１ｍｍ以上張り出している請求項１記載のハードディスクカートリッジ。
【請求項３】
前記クッション材は、前記ケース本体の四つのコーナー部から外部に露出するコーナー保護部と、前記ケース本体の内部において隣り合うコーナー保護部どうしを繋ぐフレーム部とからなる請求項１又は２記載のハードディスクカートリッジ。
【請求項４】
前記ケース本体は、上ケースと下ケースとを蓋合わせ状に接合してなるものであり、
前記上下ケースと前記クッション材とが、異質のプラスチック材を一体形成してなる二色成形品である請求項１ないし３のいずれかに記載のハードディスクカートリッジ。
【発明の詳細な説明】
【技術分野】
【０００１】
本発明は、ＡＶ機器やコンピュータなどの機器に着脱自在に装着される小型軽量で大容量のリムーバブル・ハードディスクカートリッジに関する。
【背景技術】
【０００２】
本発明に係るハードディスクカートリッジでは、ケース本体のコーナー部に衝撃を吸収するためのクッション材を備えるが、情報記録媒体の分野において、ケース本体のコーナー部にクッション材を設けること自体は、例えば特許文献１、２などに記載されており公知である。
【０００３】
特許文献１は、ケース本体の内部に記録テープが巻装されたリールを備える単リール型のテープカートリッジに関するものであり、該ケース本体のコーナー部に、衝撃吸収用のクッション材が装着されている。特許文献２は、ケース本体の内部にディスク状記録媒体が収容されたディスクカートリッジに関するものであり、該ケース本体のコーナー部に、衝撃吸収用のクッション材が装着されている。
【０００４】
ハードディスクカートリッジには、テープカートリッジ（特許文献１）やディスクカートリッジ（特許文献２）に比べて、より高度な耐衝撃性能が求められる。すなわち、この種のハードディスクカートリッジの内部には、精密部品である磁気ヘッドやその駆動機構などを含むディスクドライブ本体が組み込まれており、テープやディスク等の記録媒体を有するテープカートリッジやディスクカートリッジに比べて壊れやすく、落下衝撃等の大きな外部衝撃を受けると比較的簡単に動作不良に陥りやすい。
【０００５】
かかる不具合を解消するため、例えば、特許文献３に記載のハードディスクカートリッジでは、クッション材を介してディスクドライブ本体をケース本体内に組み付けている。具体的には、ディスクドライブ本体の四隅のそれぞれにクッション材を装着したうえで、ケース本体内にディスクドライブ本体を組み付けている。これによれば、落下衝撃等の大きな外部衝撃を受けた場合にも、クッション材で衝撃を吸収緩和することで、ディスクドライブ本体に衝撃が及ぶことを抑えることができる。
【０００６】
【特許文献１】特開２００３−２９７０３５号公報
【特許文献２】特開平５−１２０８２８号公報
【特許文献３】特開２００３−２７２３６７号公報
【発明の開示】
【発明が解決しようとする課題】
【０００７】
上記特許文献３に記載のハードディスクカートリッジでは、ケース本体の内部にクッション材が配されているため、当該クッション材の厚み寸法分だけケース本体が大型化し、ハードディスクカートリッジが嵩張ることが避けられない。つまり、ケース本体とディスクドライブ装置との間にクッション材が配置されているため、良好な衝撃吸収作用を得るためには、クッション材を分厚くする必要があり、ケース本体の小型化を図ることが難しい。
加えて、特許文献３に記載のハードディスクカートリッジでは、落下衝撃等の大きな外部衝撃を受けたときに、クッション材によりディスクドライブ本体を保護することはできるものの、ケース本体が破損するおそれが残り、その点にも改良の余地があった。
【０００８】
本発明の目的は、ケース本体を大型化することなく、クッション材の外部衝撃力の吸収緩和作用が良好に発揮され、したがって、ディスクドライブ装置の破損を抑えてハードディスクカートリッジの信頼性の向上を図りながら、その小型化を図ることができ、しかもケース本体のコーナー部の破損をも確実に防ぐことができるハードディスクカートリッジを得ることにある。本発明の目的は、衝撃吸収手段の簡略化を図ってハードディスクカートリッジの生産性の向上を図ることにある。
【課題を解決するための手段】
【０００９】
本発明に係るハードディスクカートリッジは、扁平角箱状のケース本体１の内部に、扁平角型のディスクドライブ本体４が収容されており、前記ケース本体１のコーナー部には衝撃を吸収するためのエラストマー製のクッション材５が、該ケース本体１から露出した状態で配置されており、前記クッション材５によって、前記ディスクドライブ本体４が前記ケース本体１内で遊動不能に固定保持されていることを特徴とする。
【００１０】
前記ケース本体１の四つのコーナー部に配されたクッション材５は、該ケース本体１の上下壁２０・３０および前後左右の側壁２１・２２・３２から、上下方向、前後および左右方向に、少なくとも０．１ｍｍ以上張り出していることが好ましい。
【００１１】
前記クッション材５は、前記ケース本体１の四つのコーナー部から外部に露出するコーナー保護部５４と、前記ケース本体１の内部において隣り合うコーナー保護部５４どうしを繋ぐフレーム部５５とからなるものとする。
【００１２】
前記ケース本体１は、上ケース２と下ケース３とを蓋合わせ状に接合してなるものであり、前記上下ケース２・３と前記クッション材５とが、異質のプラスチック材を一体形成してなる二色成形品とすることができる。
【発明の効果】
【００１３】
本発明に係るハードディスクカートリッジにおいては、ケース本体１のコーナー部に、衝撃を吸収するためのエラストマー製のクッション材５をケース本体１から露出した状態で配置したので、当該カートリッジを誤って床面等に落とした場合でも、クッション材５の衝撃吸収作用により、ケース本体１が破損することを効果的に防ぐことができる。つまり、この種の扁平角箱状の外形形状を有するカートリッジを床面に落とした場合には、コーナー部が床面に先当たりして破損しやすいが、当該コーナー部にクッション材５を配することにより、ケース本体１の破損を効果的に防ぐことができる。
また、このクッション材５により、ディスクドライブ本体４をケース本体１内で遊動不能に固定保持したので、落下衝撃がディスクドライブ本体４に及ぶことを防いで、ディスクドライブ本体４が破損することも効果的に防ぐことができる。
【００１４】
何よりも、クッション材５をケース本体１の内部から該ケース本体１の外部に露出させたので、クッション材５の厚み寸法を大きく確保することができる。これにて、クッション材５の衝撃吸収力の向上を図ることができ、落下衝撃等の外部衝撃からケース本体１やディスクドライブ本体４をより確実に保護することができる。
また、ケース本体１の厚み寸法を大きくすることなく、クッション材５の厚み寸法を大きくすることができるので、ハードディスクカートリッジの小型化、コンパクト化を図ることができる点でも優れている。
【００１５】
ケース本体１の内部からケース本体１の外部に至るクッション材５によって、ケース本体１およびディスクドライブ本体４の破損を防ぐ構成であるから、例えば二種の別々のクッション材によりケース本体１およびディスクドライブ本体４を保護する形態に比べて、衝撃吸収手段の簡略化を図ることができる。これにて部品点数を削減することができるので、ハードディスクカートリッジの生産性の向上を図ることができる。
【００１６】
上述のように、この種の扁平角箱状の外形形状を有するカートリッジを落下させた場合には、コーナー部が床面に先当たりして破損しやすい。そこで本発明のように、コーナー部に配されたクッション材５を、ケース本体１の上下壁２０・３０および前後左右の側壁２１・２２・３２から張り出すようにしてあると、落下時においてクッション部材５を床面等に確実に先当たりさせることができるので、ケース本体１の破損を確実に防ぐことができる。カートリッジに加わる外部衝撃を効果的に吸収して、ディスクドライブ本体４への衝撃力を良好に吸収緩和できる点でも優れている。
【００１７】
クッション材５を、ケース本体１のコーナー部から外部に露出するコーナー保護部５４と、コーナー保護部５４どうしを繋ぐフレーム部５５とからなるものとしていると、当該フレーム部５５でディスクドライブ本体４の周縁部を保護して、ディスクドライブ本体４への衝撃力を良好に吸収緩和できるので、ディスクドライブ本体４の保護がさらに確実なものとなる。フレーム部５５自体がケース本体１へのコーナー部の固定部材を兼ねているので、コーナー保護部５４をケース本体１に接着剤等で固定する形式などに比べて、安価に製造できてクッション部材５４の組み付け作業性も向上する。部品点数を削減することができるので、ハードディスクカートリッジの生産性の向上を図ることができる点でも優れている。
【００１８】
ケース本体１が、上ケース２と下ケース３とを蓋合わせ状に接合してなるものであり、これら上下ケース２・３とクッション材５とが、異質のプラスチック材を一体形成してなる二色成形品としてあると、両者を別部材とする形式に比べて、部品点数を削減することができるので、ハードディスクカートリッジの生産性の向上を図ることができる。クッション材５の上下ケース２・３への組み付け作業等が不要となり、ハードディスクカートリッジの生産性の向上を図ることができる。
【発明を実施するための最良の形態】
【００１９】
図１ないし図３に本発明に係るハードディスクカートリッジを示す。図１に示すように、ハードディスクカートリッジ（以下、単に「カートリッジ」と記す）は、硬質プラスチック製の上ケース２と下ケース３を蓋合わせ状に接合してなる扁平角箱状のケース本体１と、該ケース本体１の内部空隙に収容される扁平角型のディスクドライブ本体４とからなる。ディスクドライブ本体４の内部には、磁気ディスク４１（図１参照）、磁気ヘッド、駆動機構、制御回路などが収容されている。
【００２０】
上ケース２は、図１に示すごとく、四角板状の上壁２０と、上壁２０の左右および前後の周縁から下向きに連設した左右側壁２１・２１および前後側壁２２・２２とを含んでおり、下面が開放されている。これら左右側壁２１・２１および前後側壁２２・２２は、上壁２０の四つのコーナー部において、隣り合う壁どうしが分断された非連続に形成されている。すなわち、左右側壁２１・２１の前後方向の長さ寸法は、上壁２０の前後方向の長さ寸法よりも小さく設定され、前後側壁２２・２２の左右方向の長さ寸法は、上壁２０の左右方向の長さ寸法よりも小さく設定されており、結果として、四つのコーナー部に、クッション材５のコーナー保護部５４を配設するための凹欠部が形成されている。なお、かかるクッション材５の詳細については後述する。
【００２１】
下ケース３は、四角板状の下壁３０と、下壁３０の後端から上向きに連設した後側壁３２とからなり、左右両端の前後二箇所を合計４本のビス（不図示）により上ケース２に止め付けられている。詳しくは、上下ケース２・３の後側壁２２・３２どうしを突き合わせてから、下ケース３を上ケース２の開口下面に嵌め込むことにより、上ケース２の左右側壁２１・２１で下ケース３の左右の外周縁がスッポリと囲まれた接合状態とすることができる。そして、かかる接合状態からビスにより上下ケース２・３を止め付けることにより、両者を不離一体的に結合してケース本体１を作製する。ケース本体１の内部空隙の上下の高さ寸法は、ディスクドライブ本体４のそれよりも僅かに大きく設定されている。
【００２２】
図２に示すように、上ケース２の前側壁２２は、ディスクドライブ本体４のコネクタ４０をケース外へ臨ませるための開口２３を有する。上ケース２において開口２３の下端は開放状態となっており、下ケース３の前端で前記開口２３の下縁が形成される。上ケース２の左右側壁２１・２１の外面には、前端が開放状態で前後方向に延びる機器装填用のガイド溝２４と、位置決め用の前後一対の凹み２５・２５とがそれぞれ設けられている。
【００２３】
そのうえで本実施形態に係るハードディスクカートリッジにおいては、上下ケース２・３のそれぞれに、落下衝撃等の外部衝撃を吸収するためのエラストマー製のクッション材５（５２・５３）を設けた点が着目される。図１に示すように、上ケース２側のクッション材５２は、該上ケース２の四つのコーナー部に配される厚肉ブロック状の四つのコーナー保護部５４と、ケース本体１の内部において隣り合うコーナー保護部５４どうしを繋ぐ四角枠状の薄肉のフレーム部５５とで構成される。各コーナー保護部５４は、前後左右の二つの辺に跨る平面視でＬ字状に形成されており、上ケース２の四隅の凹欠部に配される。フレーム部５５は、ディスクドライブ本体４の上面の周縁に対向して、上ケース２の上壁２０の内面周縁に配されている。
【００２４】
下ケース３側のクッション材５３は、先の上ケース２側のクッション材５２と略同様の構成を有する。すなわち、クッション材５３は、下ケース３の四つのコーナー部に配される厚肉ブロック状のコーナー保護部５４と、ケース本体１の内部において隣り合うコーナー保護部５４どうしを繋ぐ四角枠上の薄肉のフレーム部５５とで構成される。各コーナー保護部５４は、前後左右の二つの辺に跨る平面視でＬ字状に形成されている。フレーム部５５は、ディスクドライブ本体４の下面の周縁に対向して、下ケース３の下壁３０の内面周縁に配されている。
【００２５】
図４ないし図６に示すように、ケース本体１内にディスクドライブ本体４を収容したとき、ディスクドライブ本体４は、コーナー保護部５４により遊動不能に固定保持される。より詳しくは、ディスクドライブ本体４の八つの角部が、それぞれに対応するコーナー保護部５４のＬ字の内面に受け止められることにより、ディスクドライブ本体４は、左右および前後方向に遊動不能にケース本体１内に固定保持される。また、上下のフレーム部５５・５５で挟持されることにより、ディスクドライブ本体４は、上下方向に遊動不能にケース本体１内に固定保持される。
【００２６】
上下のコーナー保護部５４・５４の厚み寸法の総和は、ケース本体１の厚み寸法よりも僅かに大きく設定されており、上下ケース２・３を接合したとき、これら上下のコーナー保護部５４・５４によって、ケース本体１のコーナー部は密封状に封止されるようになっている（図５参照）。コーナー保護部５４の左右方向の厚み寸法は、左右壁２１のそれよりも格段に大きなものとされており、前後方向の厚み寸法は、前後壁２２・３２のそれよりも格段に大きく設定されている。
【００２７】
図３および図６に示すように、コーナー保護部５４は、ケース本体１を構成する上下ケース２・３の上下壁２０・３０および前後側壁２１・２２・３２の外面から、上下方向、前後および左右方向に、少なくとも０．１ｍｍ以上張り出している。図３においてｄ１は、前後方向のコーナー保護部の張り出し寸法を、ｄ２は左右方向のコーナー保護部の張り出し寸法を示している。また、図６においてｄ３は、コーナー保護部の上下方向の張り出し寸法を示している。ｄ１、ｄ２、ｄ３のそれぞれは、０．１ｍｍ以上に設定されている。
【００２８】
上下の各クッション材５２・５３は、二色成形により、対応する上下ケース２・３と一体に形成される。すなわち、上ケース２と上側のクッション材５２、および下ケース３と下側のクッション材５３とは、異質のプラスチック材を一体成形してなる二色成形品として構成される。
【００２９】
以上のような構成からなるハードディスクカートリッジによれば、ケース本体１のコーナー部に、衝撃を吸収するためのエラストマー製のクッション材５（５２・５３）をケース本体１から露出した状態で配置したので、カートリッジを誤って床面等に落とした場合でも、該クッション材５の衝撃吸収作用により、ケース本体１が破損することを効果的に防ぐことができる。つまり、この種の扁平角箱状の外形形状を有するカートリッジを床面に落とした場合には、コーナー部が床面に先当たりして破損しやすいが、本実施形態においてはクッション材５（５２・５３）をコーナー保護部５４に設けたことにより、ケース本体１を構成する上下ケース２・３の破損を効果的に防ぐことができる。
特に、コーナー保護部５４を、ケース本体１の上下壁２０・３０および前後左右の側壁２１・２２・３２から張り出してあると、落下時においてコーナー保護部５４を床面等に確実に先当たりさせることができるので、ケース本体１の破損を確実に防ぐことができる。
ここで、コーナー保護部５４の張り出し寸法を０．１ｍｍ以上としたのは、０．１ｍｍを下回ると、コーナー保護部５４を張り出し形成したことによる破損防止効果が良好に得られないことに拠る。
【００３０】
加えて、クッション材５のコーナー保護部５４をケース本体１の内部から該ケース本体１の外部に露出させたので、コーナー保護部５４の厚み寸法を大きく確保することができる。つまり、上ケース２のコーナー部に凹欠部を形成して、当該凹欠部にコーナー保護部５４を配したので、コーナー保護部５４を上下方向の厚み寸法だけでなく、前後および左右方向の厚み寸法を大きなブロック体とすることができる。これにて、コーナー保護部５４の衝撃吸収力の向上を図ることができるので、ケース本体１やディスクドライブ本体４を落下衝撃等の外部衝撃から確実に保護することができる。
【００３１】
ケース本体１の厚み寸法を大きくすることなく、コーナー保護部５４のクッション材５の厚み寸法を大きくすることができるので、耐衝撃性を損なうことなく、ハードディスクカートリッジの小型化、コンパクト化を図ることができる。逆に耐衝撃性を損なうことなく、上下ケース２・３の肉厚寸法を薄くして、ハードディスクカートリッジの小型化、コンパクト化を図ることもできる。このことは、ハードディスクカートリッジの外形形状がオープン規格で規定されている場合には、上下ケース２・３の肉厚寸法を大きくできることを意味し、したがって、肉厚分だけ衝撃吸収代が確保して、従来製品よりも耐衝撃性に優れたハードディスクカートリッジを得ることができる。
【００３２】
ケース本体１の内部からケース本体１の外部に至るクッション材５によって、ケース本体１だけでなくディスクドライブ本体４を保護する構成であるから、二種の別々のクッション材５によりケース本体１およびディスクドライブ本体４を保護する形態に比べて、衝撃吸収手段の簡略化を図ることができる。これにて部品点数を削減することができるので、ハードディスクカートリッジの生産性の向上を図ることができる。特に、上下ケース２・３とクッション材５とが、異質のプラスチック材を一体形成してなる二色成形品としてあると、ケース２・３およびクッション材５を別部材とする形式に比べて、部品点数を削減することができるので、ハードディスクカートリッジの生産性の向上を図ることができる。クッション材５の上下ケース２・３への組み付け作業等が不要となり、ハードディスクカートリッジの生産性の向上を図ることができる点でも優れている。
【００３３】
上下ケース２・３の構成は、上記実施形態で説明した形状に限られず、例えば上下ケース２・３を四角扁平皿状とすることができる。
【図面の簡単な説明】
【００３４】
【図１】本発明に係るハードディスクカートリッジの分解斜視図である。
【図２】ハードディスクカートリッジの外観斜視図である。
【図３】ハードディスクカートリッジの平面図である。
【図４】図３のＡ−Ａ線断面図である。
【図５】図３のＢ−Ｂ線断面図である。
【図６】図３のＣ−Ｃ線断面図である。
【符号の説明】
【００３５】
１  ケース本体
２  上ケース
３  下ケース
４  ディスクドライブ本体
５  クッション材
２０  上壁
２１  左右側壁
２２  前後側壁
３０  下壁
５４  コーナー保護部
５５  フレーム部
【図１】
2008310914.tif 000003
【図２】
2008310914.tif 000004
【図３】
2008310914.tif 000005
【図４】
2008310914.tif 000006
【図５】
2008310914.tif 000007
【図６】
2008310914.tif 000008